(57)【特許請求の範囲】
【請求項１】
筐体、
複数のスリットを有し、前記筐体内を仕切る第１の遮蔽板、
前記第１の遮蔽板より面積が小さく、前記第１の遮蔽板上をスライドすることにより、前記複数のスリットの遮蔽される位置を変更する複数の第２の遮蔽板、
前記筐体に設けられた冷却装置、
前記筐体内の前記第１の遮蔽板で仕切られた部分に格納されている２つ以上の冷却対象のそれぞれの温度を検出する複数の温度センサ、
を備え、
前記複数の温度センサからのそれぞれの検出結果の差分を、予め定められた上限値と比較し、前記上限値を超えて温度の不平衡状態と判断された場合に、事前に算出したデータに基づいて風量を算出し、前記複数の第２の遮蔽板をそれぞれスライドさせることにより前記冷却装置からの風の対流経路を変化させ、前記２つ以上の冷却対象の温度の不平衡状態を解消することを特徴とする遮蔽板スライド装置。
【請求項２】
筐体、
前記筐体内の複数の磁界発生対象機器のそれぞれを挟むように配置可能な、独立にスライドする磁気シールド機能を有する遮蔽板、
前記複数の磁界発生対象機器のそれぞれの磁界の大きさを検出する複数の磁気センサ、
を備え、
前記複数の磁気センサからの検出結果により、磁界の大きさに応じ、前記磁界発生対象機器を挟む２つの遮蔽板のうち、１つの遮蔽板をスライドさせ、前記磁界発生対象機器を信号系機器と遮蔽するか、２つの遮蔽板をスライドさせ、前記磁界発生対象機器を挟むことで磁気回路を形成することを特徴とする遮蔽板スライド装置。
【発明の詳細な説明】
【技術分野】
【０００１】
この発明は、電機機器の筐体または配電盤など（以下筐体と称す）の内部に冷却が必要な物体が2個以上の複数個存在する場合に、遮蔽板スライドにより効率よく冷却する構成に関するものである。
【背景技術】
【０００２】
遮蔽板は、例えば、風の流れを妨げて風量を調整するため、筐体内に固定されている。複数の冷却対象が存在する場合は、固定された遮蔽板を使用し、風量、風向を調整することによって、複数の部品を冷却している。複数の冷却対象が存在する場合は、この風量、風向のばらつきを調整することが重要である。
【先行技術文献】
【特許文献】
【０００３】
【特許文献１】特開1992-230097号公報
【特許文献２】特開1991-226208号公報
【特許文献３】特開2001-24373号公報
【発明の概要】
【発明が解決しようとする課題】
【０００４】
特許文献１、２には、筐体内に発熱源を持ち放熱用に通風口を備えた装置の通風口の自動開閉機能であって、形状記憶合金を用いて蓋を通風口にスライドさせることで通風口を開閉する構成が記載されている。また、特許文献３には、仕切り板で上下に分割された筐体に冷却用ファンで空気を吸い込む時に、上下空間各々の温度に応じて吸い込む空気を分割する構成が開発されている。
しかし、筐体内に発熱源を持ち放熱用に通風口を備えた装置の通風口に形状記憶合金を用いて蓋をする構成では、急峻な温度変化に対応できないうえに、風量の変化を利用者側で設定することが出来ないうえ、高価かつ加工性の悪い形状記憶合金を使用する必要が生じる。さらに、外気温により通風口の初期状態が都度変化するため、再現性がない偶発的な異常を招く恐れがある。また、冷却用ファンが複数個存在する場合、風向・風量の検討が困難となり設計が複雑化する課題がある。
【０００５】
この発明は上記のような課題を解決するためになされたものであり、筐体内に冷却が必要な物体が2個以上の複数個存在する場合に、効率よく冷却して部品の長寿命化および熱故障の防止を主目的とする。また、風量を調整することが可能なため、冷却不足による再製作を防ぎ、再製作にかかる費用を削減することを目的とする。また、メンテナンス時に遮蔽板をスライドさせることが可能なため、メンテナンス時の効率を向上させることを目標とする。また、コイル、リアクトル、トランス(以降、巻物と記載) のような磁界を発生させる部品が存在する場合、磁界の大きさが大きい場合に自動でシールドし、信号系にノイズが伝搬されて誤動作を防ぐ構成を提供することを目的とする。
【課題を解決するための手段】
【０００６】
この発明に係る遮蔽板スライド装置は、筐体、全面にスリットを有し、筐体内を仕切る第１の遮蔽板、第１の遮蔽板より面積が小さく、第１の遮蔽板上をスライドすることにより、複数のスリットの遮蔽される位置を変更する複数の第２の遮蔽板、筐体に設けられた冷却装置、筐体内に格納されている２つ以上の冷却対象のそれぞれの温度を検出する複数の温度センサ、を備え、複数の温度センサからのそれぞれの検出結果の差分を、予め定められた上限値と比較し、上限値を超えて温度の不平衡状態と判断された場合に、事前に算出したデータに基づいて冷却に必要な風量を算出し、複数の第２の遮蔽板をそれぞれスライドさせることにより筐体内の風の対流経路を変化させることを特徴とする。
また、この発明に係る遮蔽板スライド装置は、筐体、筐体内の複数の磁界発生対象機器のそれぞれを挟むように配置可能な、独立にスライドする磁気シールド機能を有する遮蔽板、複数の磁界発生対象機器のそれぞれの磁界の大きさを検出する複数の磁気センサ、を備え、複数の磁気センサからの検出結果により、磁界の大きさが筐体内に配置されている信号系機器に影響を与えるほど大きくなった際に、磁界の大きさに応じ、磁界発生対象機器を挟む２つの遮蔽板のうち、１つの遮蔽板をスライドさせ、磁界発生対象機器を信号系機器と遮蔽するか、２つの遮蔽板をスライドさせ、磁界発生対象機器を挟むことで磁気回路を形成することを特徴とする
【発明の効果】
【０００７】
この発明の遮蔽板スライド装置により、簡単な構成で自動的に不平衡状態を解消することが可能となり、不平衡状態の調整が可能なため、筐体の再製作にかかる費用を削減することが出来る。
【図面の簡単な説明】
【０００８】
【図１】実施の形態１による筐体内に遮蔽板スライド装置を取り付けた全体構成を表す構成図である。
【図２】実施の形態１による遮蔽板スライド装置の冷却対象付近を拡大した正面図である。
【図３】実施の形態１の遮蔽板スライド装置のスライド手順を示したフローチャートである。
【図４】実施の形態１の制御基板のハードウエア構成図である。
【図５】実施の形態３の磁気シールド機能付き遮蔽板スライド装置の動作を示した説明図である。
【発明を実施するための形態】
【０００９】
本発明の実施の形態に係る遮蔽板スライド装置について、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、遮蔽板スライド装置の構成は、実際にはさらに複数の部材を備えているが、説明を簡単にするため、説明に必要な部分のみを記載し、他の部分については省略している。
【００１０】
実施の形態１
以下、この発明の実施の形態１を図に基づいて説明する。図１は、筐体内の全体構成図、図２は、冷却対象付近を拡大した正面図である。図において、筐体９０内に配置される冷却対象５０、５１(例として、冷却対象を２個としている。)が存在し、冷却装置６０は筐体９０の面（本実施の形態では天井部）に設置している。冷却装置６０としては、単なる開口部、または開口部とファンを組み合わせた構成が考えられ（本実施の形態では開口部とファンの組合せで説明）、開口部は、本実施の形態では１箇所だが、１箇所に限らず、風の流出入を考え、筐体側面など、複数配設することができる。
【００１１】
遮蔽板スライド装置１００は、スライド玉付き遮蔽板１、油圧装置１０、温度センサ２０、制御基板３０から構成されている。
スライド玉付き遮蔽板１はスライド玉付きスライド側遮蔽板（以下スライド側遮蔽板と称す）２ａ、２ｂと、格納側スライド玉用穴あき遮蔽板（以下格納側遮蔽板と称す）３ａ、３ｂから構成されており、図２に示すように、格納側遮蔽板３ａ、３ｂのスライド玉が、スライド側遮蔽板２ａ、２ｂの溝に係合することによりスライド可能としている。スライド側遮蔽板２ａ、２ｂは、それぞれ独立にスライド可能である。スライド側遮蔽板２ａ、２ｂの溝は、スライドさせない時は、切れ目を入れたゴムパッキンにて蓋をしている。
【００１２】
格納側遮蔽板３ａ、３ｂにはスリットが設けられ、図１に示すように、格納側遮蔽板３ａ、３ｂより面積の小さいスライド側遮蔽板２ａ、２ｂをスライドさせてスリットを部分的に遮蔽し、スリットで開口される位置を変えることにより、冷却装置６０の風の対流経路を変化させている。なお、スリットは必須ではなく、例えば図１では、手前側に風が必要とされるので、スリットを設けているが、風が不要な場合は冷却効率を上げるため、スリットは設けない。
【００１３】
油圧装置１０は、格納側遮蔽板３ａ、３ｂの内部に格納されており、制御基板３０に接続されている。制御基板３０からの制御信号により、油圧装置１０は作動し、スライド側遮蔽板２ａ、２ｂをスライドさせる。
【００１４】
次に、このように構成された遮蔽板スライド装置の動作につき説明する。冷却対象５０、５１には、温度センサ２０が設置され、それぞれの温度を検出し、温度の不平衡の有無を判断する。
【００１５】
ここで、温度の不平衡とは、冷却対象５０、５１が同じ温度仕様の場合、冷却対象５０、５１の温度差が、ユーザーが設定した値（例えば、±５℃など）を超過すること、あるいは、冷却対象５０、５１が異なる温度仕様の場合、ユーザーが設定した上限値に対する温度マージン（例えば、±１０℃）を超過することを言う。このように温度の不平衡があると温度センサ２０が判断した場合、不平衡状態を平衡状態にすべく、制御基板３０が油圧装置１０を制御し、スライド側遮蔽板２ａ、２ｂをスライドさせる。冷却対象が多く存在し、温度環境が複雑であるときは、それぞれの冷却対象に設置された温度センサ２０で検出された検出値を制御基板３０に入力した後、温度の不平衡の判断を制御基板３０で行ってもよい。
【００１６】
図３は、制御基板３０における、スライド側遮蔽板２ａ、２ｂのスライドの手順を示したフローチャートである。
まず、スライド側遮蔽板２ａ、２ｂの全開口から全閉口の範囲で圧損を事前に算出する（Ｓ３０１）。冷却装置６０のファンの性能とステップＳ３０１で算出した圧損の結果より、任意点（発熱源）での性能点を算出する（Ｓ３０２）。温度センサ２０の検出結果により、不平衡状態ありと判断された場合、冷却に必要となる風量を算出する（Ｓ３０３）。必要な風量に併せて油圧装置１０を作動させ、例えば冷却が過大となっている側のスライド側遮蔽板２ａをスライドさせる。この際、スライド位置は加速度センサ（図示せず）により検出する（Ｓ３０４）。
ステップＳ３０４の動作で温度の不平衡が改善した場合はその状態を維持し（Ｓ３０５）、改善しない場合は、ステップＳ３０３から再度風量を算出し、スライド側遮蔽板２ａ、２ｂのスライド動作を繰り返すが３回目の繰り返し時点で不平衡状態の改善が確認できない場合、装置のメイン制御基板に非常停止信号が入力され、装置全体の動作を停止する（Ｓ３０６）。制御基板３０は、図４に示すようにＣＰＵとメモリから構成されるか、または図示しないが論理回路で構成することも可能である。
【００１７】
このように、本実施の形態１では、冷却対象５０、５１の冷却性能を平衡に自動で保つため、冷却対象５０、５１のオーバーヒートを防ぎ、筐体の再製作にかかる余分な費用を削減することができ、遮蔽板がスライド可能なためメンテナンス時の業務効率を向上させることができる。
【００１８】
実施の形態２
既に製作済の筐体において、本発明を実現する場合、筐体の構造によっては、油圧装置１０を取り付けることができない場合がある。この場合、温度センサ２０または制御基板３０からの温度の不平衡状態ありと判断した際の出力を筐体外部に取付けられたＬＥＤを点灯させることにより、ユーザーに知らしめてもよい。この場合、ユーザーが手動でスライド側遮蔽板２ａ、２ｂを移動させ、不平衡状態を解消する。このように、本実施の形態２では、筐体外部に、温度の不平衡状態を表示するためのＬＥＤを備えるという簡単な構成で、筐体の再製作にかかる余分な費用を削減することができる。
【００１９】
実施の形態３
次に、実施の形態３について説明する。実施の形態１、２では、遮蔽板スライド装置１００を冷却対象の温度の不平衡を解消するための風量の調整のために使用する例を示したが、磁界を発生させる対象機器による放射ノイズの低減に使用することも可能である。図５は磁気シールド機能付き遮蔽板スライド装置１０２の動作を示した説明図であり、図５（ａ）は動作前の正面図、図５（ｂ）は、動作後の上面図と正面図である。磁気シールド機能付き遮蔽板スライド装置１０２は、磁界発生対象機器７０、７１、この磁界発生対象機器７０、７１に設置された磁気センサ４０、磁界発生対象機器７０，７１の前後に配置された磁気シールド機能付き遮蔽板４、制御基板３１、油圧装置（図示せず）からなる。磁気シールド機能付き遮蔽板４は、磁界発生対象機器７０，７１の前後、あるいは左右に一対ずつ設けられ、実施の形態１で説明したのと同様に、スライド玉付き磁気シールド機能付き遮蔽板と格納側スライド玉用穴あき遮蔽板（図示せず）で構成される。
【００２０】
次に動作について説明する。筐体９０内にある磁界発生対象機器７０、７１のどちらか１つでもコイルのような磁界を発生させる巻物の場合、磁気センサ４０でこの巻物が発生する磁界の大きさを検出し、磁界の大きさが信号系に影響を与えるほど大きくなった際に、磁気センサ４０に接続されている制御基板３０に対し、磁界が大きく放射ノイズが発生していることを伝達する。制御基板３１は、制御基板３１に接続されている油圧装置１０により、磁界の大きさが過大となっている側の磁気シールド機能付き遮蔽板４をスライドさせ、制御基板３１またはその他の周辺機器から遮蔽する。漏れ磁束が大きい場合は、前後または左右の２枚の磁気シールド機能付き遮蔽板４が両方ともにスライドし、巻物を挟むことにより磁気回路が形成され、漏れ磁束が外部や周辺機器に影響を与えないようにする。
このように、巻物によるノイズの影響を自動で防ぐため、制御基板や周辺機器の誤作動や誤検出を防ぐことができる。
なお、この発明は、その発明の範囲内において、各実施の形態を自由に組み合わせたり、各実施の形態を適宜、変形、省略することが可能である。
【符号の説明】
【００２１】
１  スライド玉付き遮蔽板、２ａ、２ｂ  スライド玉付きスライド側遮蔽板、３ａ、３ｂ格納側スライド玉用穴あき遮蔽板、４  磁気シールド機能付き遮蔽板、１０  油圧装置、２０  温度センサ、３０、３１  制御基板、４０  磁気センサ、５０、５１  冷却対象、６０  冷却装置、７０、７１  磁界発生対象機器、９０  筐体、１００  遮蔽板スライド装置、１０２  磁気シールド機能付き遮蔽板スライド装置
【図１】
0006695217.tif 000002
【図２】
0006695217.tif 000003
【図３】
0006695217.tif 000004
【図４】
0006695217.tif 000005
【図５】
0006695217.tif 000006